(57)【要約】少なくとも第１、第２及び第３のピンを有しているプラグとともに使用される電気通信装置である。電気通信装置は、プラグを収容するためのプラグコネクタを備えている。プラグコネクタは、プラグがプラグコネクタ内に挿入されているとき、第１、第２及び第３のピンとそれぞれ電気的に接触するための少なくとも第１、第２及び第３の電気接点を備えている。プラグコネクタは、また、電気的なバイパス路を備えている。該バイパス路は、プラグがプラグコネクタから完全に取り除かれたとき、第１及び第２の電気接点と電気的に接続され、もって、信号は第１の接点を介してプラグコネクタに入り、バイパス路を通って第２の接点に到達し、第２の接点を介してプラグコネクタを出る。また、該バイパス路は、プラグがプラグコネクタ内に完全に挿入されているとき、第１及び第２の電気接点とは電気的に接続されず、もって、信号は第１の接点を介してプラグコネクタに入り、ラグを通って第２の接点に到達し、第２の接点を介してプラグコネクタを出る。
2004523961.tif 000002
【特許請求の範囲】
【請求項１】
少なくとも第１、第２及び第３のピンを有しているプラグと共に使用される電気通信装置であって、
前記プラグを収容するためのプラグコネクタから成り、
前記プラグコネクタは、
前記プラグが前記プラグコネクタ内に挿入されるとき、前記第１、第２及び第３のピンと電気的にそれぞれ接触するための少なくとも第１、第２及び第３の電気接点と、
電気的なバイパス路と、
を備えており、
前記バイパス路は、
（i）前記プラグがプラグコネクタから完全に取り除かれたとき、前記第１の電気接点と前記第２の電気接点とを電気的に接続し、もって、信号は、前記第１の接点を介して前記プラグコネクタに入り、前記バイパス路を通って前記第２の接点に到達し、前記第２の接点を介して前記プラグコネクタから出ることが可能であり、
（ii）前記プラグが前記プラグコネクタ内に完全に挿入されているとき、前記第１の電気接点と前記第２の電気接点とを電気的に接続せず、もって、信号は、前記第１の接点を介して前記プラグコネクタに入り、前記プラグを通って前記第２の接点に到達し、前記第２の接点を介して前記プラグコネクタから出ることが可能である
ことを特徴とする電気通信装置。
【請求項２】
前記第１、第２及び第３の電気接点はスリーブのようなソケットから成ることを特徴とする請求項１に記載の電気通信装置。
【請求項３】
前記プラグが前記プラグコネクタから一部しか取り除かれていないとき、前記電気的なバイパス路は、前記第１の電気接点と前記第２の電気接点とを接続し、もって、前記第１及び第２の接点は、（ｉ）前記バイパス路によって電気的に接続されると同時に（ｉｉ）前記第１及び第２のピンとそれぞれ電気的に接触することを特徴とする請求項１に記載の電気通信装置。
【請求項４】
前記プラグコネクタから前記プラグを取り除く際、前記電気的なバイパス路は、前記プラグが前記第１の接点及び前記第２の接点との電気的な接続を絶つ前に、前記第１の電気接点と前記第２の電気接点とを接続することを特徴とする請求項１に記載の電気通信装置。
【請求項５】
前記第３の接点は、前記第１の接点と前記第２の接点との間に配置されている接地接点であることを特徴とする請求項１に記載の電気通信装置。
【請求項６】
前記電気通信装置は、更に、前記プラグコネクタに電気的に接続されている複数の同軸コネクタから成ることを特徴とする請求項１に記載の電気通信装置。
【請求項７】
前記複数の同軸コネクタのうちの一つと前記プラグコネクタの前記第１の接点との間には、スプリッタ／コンバイナが電気的に接続されており、前記プラグコネクタの前記第２の接点は、前記複数の同軸コネクタのうちの他の一つに電気的に接続されていることを特徴とする請求項６に記載の電気通信装置。
【請求項８】
前記複数の同軸コネクタのうちの一つと前記プラグコネクタの前記第１の接点との間には、方向性結合器が電気的に接続されており、前記プラグコネクタの前記第２の接点は前記複数の同軸コネクタのうちの他の一つに電気的に接続されていることを特徴とする請求項６に記載の電気通信装置。
【請求項９】
前記電気通信装置は、更に、前記プラグコネクタと前記同軸コネクタとを電気的に接続する回路基板から成ることを特徴とする請求項６に記載の電気通信装置。
【請求項１０】
前記回路基板にはスプリッタ／コンバイナが取り付けられていることを特徴とする請求項９に記載の電気通信装置。
【請求項１１】
前記回路基板には方向性結合器が取り付けられていることを特徴とする請求項１０に記載の電気通信装置。
【請求項１２】
前記プラグは減衰器プラグから成ることを特徴とする請求項１に記載の電気通信装置。
【請求項１３】
前記プラグは等価器プラグから成ることを特徴とする請求項１に記載の電気通信装置。
【請求項１４】
前記電気通信装置は、更に、第１の側と、前記第１の側と対向して配置される第２の側と、を備えているモジュールフレームから成り、前記プラグコネクタは、前記モジュールフレームの前記第１の側に取り付けられていることを特徴とする請求項１に記載の電気通信装置。
【請求項１５】
前記電気通信装置は、更に、前記モジュールフレームの前記第２の側に取り付けられている複数の同軸コネクタから成ることを特徴とする請求項１４に記載の電気通信装置。
【請求項１６】
前記電気通信装置は、更に、前記同軸コネクタを前記プラグコネクタに電気的に接続する回路基板から成ることを特徴とする請求項１５に記載の電気通信装置。
【請求項１７】
前記プラグコネクタの前記第１及び第２の接点の少なくとも一方は、（ｉ）前記プラグが前記プラグコネクタから完全に取り除かれたとき、前記電気的なバイパス路と電気的に接触し、（ｉｉ）前記プラグが前記プラグコネクタに完全に挿入されているとき、前記電気的なバイパス路との電気的な接続を絶つ接触スプリングから成ることを特徴とする請求項１に記載の電気通信装置。
【請求項１８】
前記プラグが前記プラグコネクタから取り除く際、前記接触スプリングは、前記プラグが前記第１及び第２の接点との電気的な接続を絶つ前に、前記電気的なバイパス路と接触することを特徴とする請求項１７に記載の電気通信装置。
【請求項１９】
前記電気的なバイパス路は、（ｉ）前記プラグが前記プラグコネクタから完全に取り除かれたとき、前記第１及び第２の接点の少なくとも一方と接触し、（ｉｉ）前記プラグが前記プラグコネクタ内に完全に挿入されたとき、前記第１及び第２の接点の少なくとも一方から切り離される少なくとも１つのばねを備えていることを特徴とする請求項１に記載の電気通信装置。
【請求項２０】
前記プラグが前記プラグコネクタから取り除かれる際、前記ばねは、前記プラグが前記第１及び第２の接点との電気的な接続を断つ前に、前記第１の接点と前記第２の接点との間にある前記電気的なバイパス路を閉じることを特徴とする請求項１９に記載の電気通信装置。
【請求項２１】
前記電気通信装置は、更に、前記プラグが前記プラグコネクタ内に完全に挿入されているとき、前記第１及び第２の接点の少なくとも一方から前記ばねを切り離す誘電部材から成ることを特徴とする請求項１９に記載の電気通信装置。
【請求項２２】
前記第１及び第２の接点の少なくとも一方はソケットから成り、前記誘電部材は、前記ソケット内にて軸方向に延びている誘電ピンから成ることを特徴とする請求項２１に記載の電気通信装置。
【請求項２３】
前記第１及び第２の接点の少なくとも一方はソケットから成り、前記誘電部材は、前記ソケット内にて半径方向に延びているカミング部材から成ることを特徴とする請求項２１に記載の電気通信装置。
【請求項２４】
前記バイパス路は減衰器を備えていることを特徴とする請求項１に記載の電気通信装置。
【請求項２５】
少なくとも第１、第２及び第３のピンを有しているプラグと共に使用される電気通信装置であって、
前記プラグを収容するためのプラグコネクタから成り、
前記プラグコネクタは、
前記プラグが前記プラグコネクタ内に内に挿入されるとき、前記第１、第２及び第３のピンとそれぞれ電気的に接触するための少なくとも第１、第２及び第３の電気接点と、
前記プラグが前記プラグコネクタから完全に取り除かれたとき、信号が前記第１の接点を介して前記プラグコネクタに入り、バイパス路を通って前記第２の接点に到達し、前記第２の接点を介して前記プラグコネクタから出るように、前記第１の電気接点と前記第２の電気接点とを電気的に接続する手段と、
前記プラグが前記プラグコネクタ内に完全に挿入されているとき、信号が前記第１の接点を介して前記プラグコネクタに入り、前記プラグを通って前記第２の接点に到達し、前記第２の接点を介して前記プラグコネクタから出るように、前記第１の電気接点と前記第２の電気接点との電気的な接続を絶つ手段と、
を備えていることを特徴とする電気通信装置。
【請求項２６】
前記第１、第２及び第３の接点はスリーブのようなソケットから成ることを特徴とする請求項２５に記載の電気通信装置。
【請求項２７】
前記第１、第２及び第３の接点は１列に並んでおり、前記第３の接点は前記第１の接点と前記第２の接点との間に配置されていることを特徴とする請求項２６に記載の電気通信装置。
【請求項２８】
前記第３の接点は接地接点から成ることを特徴とする請求項２７に記載の電気通信装置。
【請求項２９】
前記電気通信装置は、更に、前記プラグを取り除く際に、前記プラグが前記第１及び第２の接点との電気的な接続を絶つ前に、前記第１の電気接点と前記第２の電気接点とを電気的に接続するための手段から成ることを特徴とする請求項２５に記載の電気通信装置。
【請求項３０】
前記バイパス路は減衰器を備えていることを特徴とする請求項２５に記載の電気通信装置。
【請求項３１】
電気通信システム用プラグコネクタであって、
ハウジングと、
プラグの電気ピンを収容して前記電気ピンと電気的に接触するための第１、第２及び第３のスリーブのようなソケットと、
前記第１のソケットと前記第２のソケットとの間で電気的な接続を提供するためのバイパス路と、
前記第１のソケットと前記第２のソケットとの間の前記電気的な接続を提供したり、断ち切ったりするためのばねと、
から成り、
前記ソケットは、前記ハウジング内に取り付けられており、且つ１列に並べられており、前記第３のソケットは、前記第１のソケットと前記第２のソケットとの間に配置されていることを特徴とするプラグコネクタ。
【請求項３２】
ケーブルテレビジョンシステムにおけるプラグを取り除く方法であって、前記プラグは、前記プラグに信号を通すためのインピン及びアウトピンを備えており、前記システムは、前記プラグを収容するためのプラグコネクタを備えており、前記プラグコネクタは前記プラグに前記信号を通すために前記プラグの前記インピン及び前記アウトピンと接触する第１及び第２の接点を備えており、前記方法は、
前記プラグの取り除きを開始するステップと、
前記第１及び第２の接点が前記プラグの前記インピン及びアウトピンと接触した状態を保っている間に、前記第１の接点と前記第２の接点との間に信号バイパス路を形成して、前記信号に前記プラグを迂回させるステップと、
前記信号バイパス路が形成された後で前記プラグの取り除きを完了するステップと、
から成る方法。
【請求項３３】
前記プラグは減衰器プラグから成ることを特徴とする請求項３２に記載の方法。
【請求項３４】
前記プラグは等価器プラグから成ることを特徴とする請求項３２に記載の方法。
【発明の詳細な説明】
【技術分野】
【０００１】
本発明は、ケーブルテレビジョン網等の電気通信システムに使用される電気通信部品に関する。
【背景技術】
【０００２】
電気通信産業、特に、映像伝送産業（例えば、ケーブルテレビジョン環境）において、広域無線周波数（ＲＦ）信号（即ち、５ＭＨｚ乃至１ＧＨｚ）は、同軸導体を通ってヘッドエンドから消費者まで送られる。電気通信システムのヘッドエンドにおいて、多数の信号が操作されて多様な各種機能及び目的を達成する。例えば、多数の同軸ケーブルを流れる信号を合成して１つの同軸導体に送る。同様に、主要な同軸導体を流れる信号を複数の信号に分割して、該複数の信号は分岐された同軸導体を通る。更に、方向性結合器等を介して、主要導体導体から信号を除去、或いは追加することができる。
【０００３】
ヘッドエンドは、信号の合成、分割、分散、或いは追加に加えて、信号を修正する装置を備えている。例えば、電気通信システムを正確に同調するために、信号を所望のレベルまで減衰させる減衰器等を提供することが望ましい。更に、広域無線周波数信号がケーブルを流れる際、該信号の高周波数範囲を低周波数範囲よりも減衰させてもよい。その結果として、等価器を利用して、信号の周波数範囲において、該信号をあるレベルの強さを有するように修正する。
【０００４】
同調は、差し込み装置（例えば、減衰器或いは等価器）を使用して行うことが多い。差し込み装置を備えているシステムの例が特許文献１に開示されている。この特許文献１の開示内容は、参考文献として本書に含めることにする。
【特許文献１】
米国特許第５９５５９３０号明細書
【発明の開示】
【発明が解決しようとする課題】
【０００５】
現在、ケーブルテレビジョン環境は、信号路を絶つ差し込み装置を使用している。詳しくは、該差し込み装置が交換のために抜かれる際に信号路が絶たれる。しかし、ケーブルテレビジョン環境（例えば、電話、データ及び９１１サービス）における新たな機会によって、信号路の断絶を防止することは重要である。従って、交換時に取り外される際に、信号路が絶たれないようなケーブルテレビジョン産業用差し込み装置が求められている。
【課題を解決するための手段】
【０００６】
本発明の概念は、少なくとも第１、第２及び第３のピンを有しているプラグとともに使用される電気通信装置に関する。該電気通信装置は、プラグを収容するためのプラグコネクタを備えている。プラグコネクタは、プラグがプラグコネクタ内に挿入されているとき、第１、第２及び第３のピンとそれぞれ電気的に接触するための少なくとも第１、第２及び第３の電気接点を備えている。プラグコネクタは、また、電気的なバイパス路を備えている。該バイパス路は、（ｉ）プラグがプラグコネクタから完全に取り除かれているとき、第１の電気接点と第２の電気接点とを電気的に接続し、もって、信号は、第１の接点を介してプラグコネクタに入り、バイパス路を通って第２の接点に到達し、第２の接点を介してプラグコネクタを出ることが可能であり、（ｉｉ）プラグがプラグコネクタ内に完全に挿入されているとき、第１の電気接点と第２の電気接点とを電気的に接続せず、もって、信号は、第１の接点を介してプラグコネクタに入り、プラグを通って第２の接点に到達し、第２の接点を介してプラグコネクタを出ることが可能である。
【発明を実施するための最良の形態】
【０００７】
添付された図面に関して、同一の構成要素には同一の番号を付ける。以下、本発明の好適な実施例の説明を行う。
【０００８】
本発明の重要な概念はプラグコネクタに関する。該プラグコネクタは、プラグ交換の際、信号路の断絶を防ぐ構成を有している。“プラグコネクタ”には、プラグを収容或いはプラグとの電気的な接続を提供するような構成体或いは装置も含まれることは理解できよう。好適な実施例において、プラグコネクタは、等価器プラグ又は減衰器プラグ等の多数ピン（例えば、３又は４ピン）ＲＦ回路プラグとの電気的な接続を提供するようになっている。
【０００９】
本発明の各種概念は、ネットワークの再構成の際、ネットワークのヘッドエンド（例えばケーブルテレビジョンのヘッドエンド）によって発生するダウンタイムの減少を支援する。このダウンタイムの減少は、電話サービス、９１１サービス及びデータサービス等のサービスが著しく普及しているため、ケーブルテレビジョンシステムには特に重要である。更に、ある実施例において、本発明のプラグコネクタは、プラグが存在しないときでも、信号が該プラグコネクタを通過できるような構成となっている。これによって、ある線路に対してプラグを除くことができコストを下げる。
【実施例１】
【００１０】
図１乃至図６は、本発明に係わるプラグコネクタが使用されるＲＦ装置の一例を示している。開示されているＲＦ部品は、本発明の各種概念が適用可能な形式の装置の一例にすぎないことは理解できよう。従って、図示されている特定のＲＦ部品以外の形式のＲＦ部品にも本発明の各種概念が適用可能であることは理解できよう。更に、本発明は、ＲＦ装置への適用に限らず、電気通信の分野において広く利用可能である。
【００１１】
図１は、本発明の各種概念を実行する際の使用に適している８ポートＲＦコンバイナモジュール１０を示している。該モジュール１０は、概ね矩形状のフレーム１４を有しているハウジング１２を備えている。該フレーム１４は、後部１８の反対側に位置する前部１６を形成している。互いに対向して配置されている端壁２０、２２は、前部１６と後部１８との間で延びており、フレーム１４の小さな側面を形成している。フレーム１４の大きな側面２４、２６は開放している。フレーム１４の大きな側面２４、２６は、留め具（例えば、ボルト或いはねじ）によってフレーム１４に固着される取り外し可能なプレート２８、３０によってそれぞれ閉ざされる。
【００１２】
ハウジング１２は、無線周波数回路（例えば、スプリッタ回路、コンバイナ回路等）を少なくとも一部密閉するようになっている。回路は数多くの周知の形態を取ることができるが、好ましくは、回路は、ハウジング１２内に取り付けられるような大きさの回路基板３２上に設けられる。図１の実施例において、回路は８つの減衰器プラグ３４−１乃至３４−８を備えている。該減衰器プラグ３４−１乃至３４−８は回路基板３２の前縁に隣接して配置されている。減衰器プラグ３４−１乃至３４−８は、対応するプラグコネクタ３６−１乃至３６−８内に収容されている。該プラグコネクタ３６−１乃至３６−８は、回路基板３２の前縁に隣接して、該回路基板３２に取り付けられている。回路基板３２がハウジング１２内に取り付けられるとき、フレーム１４の前部１６によって画成されている長尺なプラグアクセス開口３８を介して、減衰器プラグ３４−１乃至３４−８にアクセス即ち触れることができる。また、ハウジング１２は、プラグアクセス開口３８を覆うために、フレーム１４の前部１６に固着された取り外し可能な前カバー４０を備えていることが好ましい。フレーム１４から前カバー４０を取り除くことによって、プラグアクセス開口３８を介して減衰器プラグ３４−１乃至３４−８に触れることができる。
【００１３】
モジュール１０は、更に、フレーム１４の後部１８に取り付けられている複数のコネクタ４２−０乃至４２−８（図１では８つのコネクタのみ表示）を備えている。コネクタ４２−０乃至４２−８の形状は任意であるが、好ましくは、ＢＮＣ型コネクタ或いはＦ型コネクタ等の７５オームの同軸コネクタである。コネクタ４２−０乃至４２−８は、カードエッジコネクタ（card edge connector）等のように、従来の技術によって回路基板３２の後縁に接続されていることが好ましい。更に、コネクタ４２−０乃至４２−８の接地されたシールドは、ハウジング１２のフレーム１４と電気的に接触していることが好ましい。モニタポート４１は、回路基板３２に電気的に接続されており、ハウジング１２の前側１６に取り付けられるようになっている。
【００１４】
図２は、図１のコンバイナの回路図の一例を概略的に示している。図２に示されるように、コンバイナは、プラグコネクタ３６−１、３６−２に電気的に接続されている第１の２対１コンバイナ４４−１と、プラグコネクタ３６−３、３６−４に電気的に接続されている第２の２対１コンバイナ４４−２と、プラグコネクタ３６−５、３６−６に電気的に接続されている第３の２対１コンバイナ４４−３と、プラグコネクタ３６−７、３６−８に電気的に接続されている第４の２対１コンバイナ４４−４と、を備えている。第１及び第２のコンバイナ４４−１、４４−２は、第５の２対１コンバイナ４４−５に電気的に接続されている。第３及び第４の２対１コンバイナ４４−３、４４−４は、第６の２対１コンバイナ４４−６に電気的に接続されている。第５及び第６の２対１コンバイナ４４−５、４４−６は、第７の２対１コンバイナ４４−７に電気的に接続されている。第７の２対１コンバイナ４４−７は、方向性結合器４６に電気的に接続されている。方向性結合器４６は、モニタポート４１と同軸コネクタ４２−０に電気的に接続されている。
【００１５】
コンバイナ４４−１乃至４４−７は変成器として示されていることは当業者には理解できよう。更に、図示されたシステムには、コンバイナ４４−１乃至４４−７によって合成された信号の抵抗値を３７．５オームから７５オームに戻すように変換する変成器４８が備えられている。
【００１６】
図２のシステムを使用する際、コネクタ４２−１、４２−２に入力された信号は、減衰器プラグ３４−１、３４−２をそれぞれ通過して、コンバイナ４４−１によって合成される。コネクタ４２−３、４２−４を介して入力された信号は、減衰器プラグ３４−３、３４−４をそれぞれ通り、コンバイナ４４−２によって合成される。同様に、コネクタ４２−５、４２−６に入力された信号は、減衰器プラグ３４−５、３４−６をそれぞれ通り、コンバイナ４４−３にて合成される。コネクタ４２−７、４２−８を介して入力された信号は、減衰器プラグ３４−７、３４−８をそれぞれ通り、コンバイナ４４−４にて合成される。コンバイナ４４−５において、コンバイナ４４−１にて合成された信号は、コンバイナ４４−２にて合成された信号と合成される。コンバイナ４４−６において、コンバイナ４４−３にて合成された信号は、コンバイナ４４−４にて合成された信号と合成される。コンバイナ４４−７において、コンバイナ４４−５、４４−６にてそれぞれ合成された信号は、合成されて１つの主要な信号となる。該主要な信号は、方向性結合器４６を通り、コネクタ４２−０を介してモジュールから出力される。方向性結合器４６において、主要な信号の小さな部分がモニタポート４１に分配されて送られる。
【００１７】
図２のシステムの形態は、８対１の結合器として示されているが、方向性結合器４６の形状を若干変更することによって、モニタ機能付きの８対１のスプリッタとして使用できることは理解できよう。即ち、変成器４４−１乃至４４−７は、コンバイナだけでなくスプリッタとして使用できることは当業者には理解できよう。
【実施例２】
【００１８】
図３は、本発明の各種概念を実行するのに適している６ポートコンバイナモジュール１１０を示している。モジュール１１０は、前部１１６及び後部１１８を形成するフレーム１１４を有しているハウジング１１２を備えている。ハウジング１１２は、回路基板１３２等の無線周波数回路を少なくとも部分的に密閉するようになっている。プラグコネクタ１３６−１乃至１３６−６は、回路基板１３２の前縁に取り付けられている。減衰器プラグ１３４−１乃至１３４−６は、プラグコネクタ１３６−１乃至１３６−６内に挿入されている状態で示されている。フレーム１１４から前カバー１４０を取り除くことによって、ハウジング１１２の前部１１６にて減衰器プラグ１３４−１乃至１３４−６にアクセス即ち触れることができる。複数の同軸コネクタ４２−０乃至４２−７は、ハウジング１１２の後部１１８に取り付けられている。該同軸コネクタは、回路基板１３２の後縁に電気的に接続されている。取り外し可能なプレート１２８、１３０は、フレーム１１４の開口している側を閉ざすように設けられている。
【００１９】
図４は、図３の回路基板１３２の回路のレイアウトの一例を示している。この図において、６つの方向性結合器１６０−１乃至１６０−６が互いに直列に接続されている状態で備えられている。結合器１６０−１は、プラグコネクタ１３６−１及び同軸コネクタ１４２−０に電気的に接続されている。方向性結合器１６０−２は、プラグコネクタ１３６−２及び方向性結合器１６０−１に電気的に接続されている。方向性結合器１６０−３は、プラグコネクタ１３６−３及び方向性結合器１６０−２に電気的に接続されている。方向性結合器１６０−４は、プラグコネクタ１３６−４及び方向性結合器１６０−３に電気的に接続されている。方向性結合器１６０−５は、プラグコネクタ１３６−５及び方向性結合器１６０−４に電気的に接続されている。方向性結合器１６０−６は、プラグコネクタ１３６−６、方向性結合器１６０−５及び同軸コネクタ１４２−７に電気的に接続されている。同軸コネクタ１４２−１乃至１４２−６は、プラグコネクタ１３６−１乃至１３６−６にそれぞれ接続されており、もって、該コネクタ１４２−１乃至１４２−６を介して入力された信号は、減衰器プラグ１３４−１乃至１３４−６をそれぞれ通る。減衰器プラグ１３４−１乃至１３４−６を通った後、信号は、それぞれの方向性結合器１６０−１乃至１６０−６に向かう。
【００２０】
使用の際、同軸コネクタ１４２−０に入力された信号は、同軸コネクタ１４２−１に入力された信号と結合器１６０−１にて合成される。結合器１６０−１において合成された信号は、同軸コネクタ１４２−２に入力された信号と結合器１６０−２において合成される。方向性結合器１６０−２から出力された該合成された信号は、コネクタ１４２−３で入力された信号と結合器１６０−３において合成される。方向性結合器１６０−３において合成された信号は、コネクタ１４２−４で入力された信号と方向性結合器１６０−４において合成される。方向性結合器１６０−４から出力された該合成された信号は、コネクタ１４２−５に入力された信号と、方向性結合器１６０−５において合成される。方向性結合器１６０−５から出力された該合成された信号は、コネクタ１４２−６に入力された信号と、方向性結合器１６０−６において合成される。方向性結合器１６０−６は、コネクタ１４２−０におけるモジュールからの単一の主要な信号を出力する。
【実施例３】
【００２１】
図５は、本発明を実行する際の使用に適している等価器モジュール（イコライザモジュール）２１０を示している。モジュール２１０は、前部２１６と後部２１８とを画成しているフレーム２１４を有しているハウジング２１２を備えている。３つの同軸コネクタ２４２−１乃至２４２−３は、フレーム２１４の後部２１８に取り付けられている。ハウジング２１２内には回路基板２３２が取り付けられている。同軸コネクタ２４２−１乃至２４２−３は、回路基板２３２の後縁に電気的に接続されていることが好ましい。プラグコネクタ２３６は、回路基板２３２の前縁に取り付けられている。プラグコネクタ２３６は、等価器プラグ（イコライザプラグ）２３４を収容する大きさのポートを形成している。回路基板２３２がハウジング２１２内に取り付けられるとき、フレーム２１４の前部２１６によって画成されているアクセス開口２３８を介してハウジング２１２の前方から等価器（イコライザ）２３４にアクセス即ち触手することができる。アクセス開口２３８は取り外し可能な前カバー２４０によって覆われる。
【００２２】
図６は、図５の等価器モジュールの回路基板２３２の回路のレイアウトの一例を示している。図６を参照すると、この回路のレイアウトには、プラグコネクタ２３６に電気的に接続されている方向性結合器７０と、同軸コネクタ２４２−１と、同軸コネクタ２４２−２と、が備えられている。プラグコネクタ２３６は、また、同軸コネクタ２４２−３に接続されている。等価器プラグ２３４は、プラグコネクタ２３６内に挿入された状態で示されている。
【００２３】
等価器の使用において、信号は、同軸コネクタ２４２−１を介して入力され、方向性結合器７０まで流れる。方向性結合器７０において、該信号の小さな一部分は、分岐してモニタポート２４２−２に向かう。信号の大半は、方向性結合器７０から等価器２３４まで流れる。次いで、信号は、等価器２３４を通り、同軸コネクタ２４２−３においてモジュール２１０から出力される。
【００２４】
減衰器プラグは、コミニケーション・アソシエーツ（communication associates）（１７５０  Ｔ−’コールマンロード（T-'Coleman Road）、アニンストン市、アラバマ州３６２０７）を通じて商業上入手可能なプロダクト（Product）Ｎｏ．Ｆ−７５２０−Ａ（２０ｄＢの減衰器用）として市販されている減衰器プラグ等である。プラグ３４−１乃至３４−８は個々に選択され、信号の減衰を個々に行うことができる。例えば、“ゼロ”プラグをプラグコネクタに挿入して０ｄＢの減衰を行う。若しくは、技術者の任意で、０ｄＢプラグを信号の減衰ができるプラグに交換してもよい。例えば、１５ｄＢプラグを使用して１５ｄＢの減衰を信号に提供する。その結果、各分岐回路において、技術者の任意で選択された減衰が個々で行われる。
【００２５】
図１乃至図６において、プラグコネクタ（図１及び図２の実施例のプラグコネクタ３６−１乃至３６−８、図２乃至図４の実施例のプラグコネクタ１３６−１乃至１３６−６、図５及び図６の実施例のプラグコネクタ２３６）の概略が示されている。上記のように、本発明の重要な概念は、プラグコネクタを提供することであって、詳しくは、該プラグコネクタを通る信号路がプラグ交換の際に破断されることを防ぐ構成を備えているプラグコネクタを提供することである。従って、本発明の原理に従って、プラグコネクタ３６−１乃至３６−８、１３６−１乃至１３６−６、２３６は、プラグコネクタを通る信号がプラグ交換の際に絶たれることを防ぐ内部部品を備えていることが好ましい。
【００２６】
図７Ａ及び図７Ｂは、図１及び図２のコンバイナモジュール１０の入力線路の１つを概略的に示している。モジュール１０において、同軸コネクタ４２−１とプラグコネクタ３６−１と減衰器３４−１とコンバイナ４４−１とコンバイナ４４−５とコンバイナ４４−７と方向性結合器４６と同軸コネクタ４２−０とを備えている部分が概略的に示されている。図７Ａは、プラグコネクタ３６−１内に完全に挿入されている減衰器３４−１を示しており、図７Ｂは、プラグコネクタ３６−１から取り除かれる過程にある減衰器３４−１を示している。
【００２７】
図７Ａ及び図７Ｂを参照すると、プラグコネクタ３６−１は、回路基板の縁（例えば、図１に示されている回路基板３２の縁）に取り付けられる誘電ハウジング３００を備えている。ハウジング３００内には２つの通し接点３０２（即ち、イン接点及びアウト接点）が取り付けられている。２つの通し接点３０２のうちの一方は、コンバイナ４４−１に電気的に接続されており、他方の通し接点３０２は、同軸コネクタ４２−１に電気的に接続されている。導電性バイパス路３０４は、２つの通し接点３０２同士を電気的に接続するために使用される。バイパス路３０４は、各通し接点３０２に隣接して配置されている接触領域３０６、３０６を備えている。プラグコネクタ３６−１は、また、２つの通し接点３０２の間に配置されている接地接点３０５を備えている。接地接点３０５は、電気的に接地されている。
【００２８】
通し接点３０２及び接地接点３０５は、各種異なる形状を有することができるが、図７Ａ及び図７Ｂの接点３０２、３０４は、弾性及び導電性を有するばねとして示されている。プラグがハウジング３００に挿入されていないとき、２つの通し接点３０２がそれぞれの接触領域３０６、３０６と係合する（即ち、通し接点が“通常通りに”接触領域と係合する）ように、通し接点３０２はバイパス路３０４の接触領域３０６に向かって付勢されることが好ましい。通し接点３０２と接触領域３０６との係合によって、バイパス回路３０４が閉じ、もって、信号は、プラグが存在しなくても、プラグコネクタ３６−１内を通る。
【００２９】
図７Ａ及び図７Ｂを参照すると、減衰器プラグ３４−１は、２つの通しピン３０８（即ち、インピン及びアウトピン）及び接地ピン３１０を備えている。プラグ３４−１がプラグコネクタ３６−１に挿入されたとき、２つの通しピン３０８はそれぞれ通し接点３０２、３０２と係合し、接地ピン３１０は接地接点３０５と係合する。通し接点３０２は、減衰器プラグ３４−１が（図７Ａに示されるように）プラグコネクタ３６−１内に完全に挿入されたとき、２つの通しピン３０８がぞれぞれ通し接点３０２、３０２と接触することによって、２つの通し接点３０２とバイパス路３０４の２つの接触領域３０６との接続が絶たれる。この状態で、プラグコネクタ３６−１内に入る信号は減衰器３４−１内を通る。
【００３０】
更に、２つの通し接点３０２及び該２つの通し接点にそれぞれ対応するバイパス路３０４の接触領域３０６、３０６は、好ましくは相対的に配置され、もって、減衰器３４−１がプラグコネクタ６０−１から取り除かれる過程にあるとき、２つの通し接点３０２は、それぞれ対応する接触ピン３０８、３０８から切り離される前に、それぞれ対応する接触領域３０６、３０６と係合する。従って、プラグを取り外す過程の際、接点３０２が接触領域３０６及びピン３０８の双方と同時に係合する時点が存在する。２つの通し接点３０２がバイパス路３０４の２つの接触領域３０６と係合するとき、減衰器３４−１内を通っている信号は逸れて抵抗の最も小さい路（即ち、バイパス路３０４）を通ることによって、該信号は減衰器３４−１を迂回する。減衰器プラグ３４−１の取り外しを継続して行うことによって、２つの通しピン３０８は２つの通し接点３０２から切り離され、接地ピン３１０は接地接点３０５から切り離される。しかし、２つの通し接点３０２は減衰器３４−１から切り離される前にバイパス路３０４を閉じるので、プラグを取り外す過程の全般にわたって、信号は、遮断されることなく、プラグコネクタ３６−１内を通る。
【００３１】
図７Ａ及び図７Ｂの実施例において、バイパス路３０４は、該バイパス路を通過する信号の減衰を実質的には行っていない。他の実施例において、減衰器プラグが存在しなくてもプラグコネクタ３６−１が減衰を行えるように、バイパス路３０４に沿って減衰器（即ち、４ｄＢ、６ｄＢ、８ｄＢの減衰器或いは他の減衰器）を配置することが望ましい。図７Ｃは、バイパス路３０４に沿って減衰器８０を備えている図７Ａ及び図７Ｂのプラグコネクタ３６−１を示している。
【実施例４】
【００３２】
図８は、本発明の原理に従って構成された他のプラグコネクタ４００を示している。図８において、プラグコネクタ４００のハウジングは、図面による説明の都合上、取り除かれている。図に示されるように、プラグコネクタ４００は、導電性バイパス路４０４の接触領域４０６、４０６に接触した状態で通常付勢されている２つの通しばね４０２を備えている。接地スリーブ４０５は、２つの通し接点４０２の間に配置されている。好ましくは、通し接点４０２は、回路基板３２に設けられているトレーシング（tracings）によって、それぞれ対応する電気部品に電気的に接続されている。同様に、接地スリーブ４０５は、回路基板３２を介して接地されていることが好ましい。
【００３３】
図８は、プラグ３４−１がプラグコネクタ４００内に完全には挿入されていない（即ちプラグ３４−１がプラグコネクタ４００から取り外される或いはプラグコネクタ４００に挿入される過程にある）状態の中間的な位置にある減衰器プラグ３４−１を示している。図に示されているように、プラグ３４−１の２つの通しピン３０８は、プラグコネクタ４００の２つの通しばね４０２と接触し、同時に、２つの通しばね４０２は、バイパス路４０４の接触領域４０６、４０６と接触している。バイパス路４０４は減衰器３４−１と比較して抵抗が極めて低いので、プラグコネクタ４０２に提供された信号は、プラグ３４−１を迂回してバイパス路４０４を通る。
【００３４】
プラグ３４−１がプラグコネクタ４００内に完全に挿入されているとき、２つの通しばね４０２は下方に付勢されてバイパス路４０４の２つの接触領域４０６、４０６から切り離されることは理解できよう。従って、このプラグが完全に挿入された状態において、プラグコネクタ４００に送られた信号は、強制的に減衰器３４−１を通る。また、前述のように、プラグ３４−１がプラグコネクタ４００から完全に引き抜かれたとき、２つのばね４０２はバイパス路４０４の２つの接触領域４０６、４０６に通常は付勢される。従って、プラグがプラグコネクタ４００内に挿入されていなくても、信号は、バイパス路４０４を介してプラグコネクタ４００を通る。
【実施例５】
【００３５】
図９Ａ及び図９Ｂは、本発明の原理に従って構成された他のプラグコネクタ５００を示している。プラグコネクタ５００は、減衰器プラグ３４−１の２つの通しピン３０８を収容するように構成されている２つの通しソケット５０２を備えている。プラグコネクタ５００は、また、２つの通しソケット５０２の間に配置されている接地ソケット５０５を備えている。接地ソケット５０５は、減衰器３４−１の接地ピン３１０を収容するように構成されている。前述の実施例と同様に、通しソケット５０２は、回路基板３２に設けられているトレーシングによって、それぞれ対応する電気部品に接続されていることが好ましい。同様に、接地ソケット５０５は、回路基板３２を介して接地されていることが好ましい。また、図９Ａ及び図９Ｂにおいて、図面による説明の都合上、プラグコネクタ５００のハウジングは図示されていない。
【００３６】
図９Ａ及び図９Ｂを参照すると、プラグコネクタ５００は、通しソケット５０２の後端部に隣接してそれぞれ配置されている２つの接触領域５０６、５０６を有しているバイパスばね５０４を備えている。誘電ピン５１５、５１５は、接触領域５０６、５０６を通り抜けるように形成されている開口を通って取り付けられている（即ち、接触領域はヘッド５１７、５１７に直接隣接した状態でピン５１５、５１５に形成されている円周溝内において音を発する）。例えば、ピン５１５、５１５は、接触領域５０６、５０６内の開口に嵌合する際に音を発する。各ピン５１５のヘッド５１７は接触領域５０６の後側と係合し、各ピンの前方突出部５１９は、接触領域５０６を通り抜けて通しソケット５０２内に延びている。前方突出部５１９は、各通しソケット５０２の全長よりも実質的に短いことが好ましい。
【００３７】
バイパスばね５０４は、各接触領域５０６が通しソケット５０２の後端部に通常付勢されるように、構成されていることが好ましい。従って、減衰器３４−１がプラグコネクタ５００内に挿入されていないとき、バイパスばね５０４は、２つの通しソケット５０２間に延びるバイパス路を形成している。減衰器プラグ３４−１が（図９Ａに示されるように）プラグコネクタ５００内に完全に挿入されているとき、各通しピン３０８は誘電ピン５１５を後方に押し、それによって、バイパスばね５０４の２つの接触領域５０６、５０６が２つの通しソケット５０２の後側から切り離され、もって、バイパス回路は開放される。図９Ａに示されるようにバイパスばね５０４が開放されている状態で、プラグコネクタ５００に送られた信号は、強制的に減衰器３４−１を通る。
【００３８】
図９Ｂは、プラグコネクタ５００から取り外し或いは該プラグコネクタ５００に挿入される過程にあるプラグ３４−１を示している。この状態において、２つの通しピン３０８は２つの通しソケット５０２と電気的に接触し、接地ピン３１０は接地ソケット５０５と電気的に接触する。同時に、バイパスばね５０４の２つの接触領域５０６、５０６は、付勢されて２つの通しソケット５０２の後側と接触する。この状態で、プラグコネクタ５００に送られた信号は、減衰器３４−１に向かって流れず、迂回してバイパスばね５００を通る。
【実施例６】
【００３９】
図１０及び図１１は、本発明の原理に従って構成された他のプラグコネクタ６００を示している。プラグコネクタ６００は、２つの通しソケット６０２と、該２つの通しソケット６０２の間に配置されている接地ソケット６０５と、を備えている。前述の実施例と同様、通しソケット６０２は、回路基板３２に設けられたトレーシングによって、それぞれ対応する電気部品に接続されていることが好ましい。また、接地ソケット６０５は、回路基板３２を介して接地されていることが好ましい。図面による説明の都合上、プラグコネクタ６００のハウジングは、図１０及び図１１から省略されている。
【００４０】
更に、図１０及び図１１を参照すると、プラグコネクタ６００は、通しソケット６０２、６０２にそれぞれ隣接して配置されている２つの接触領域６０６、６０６を有しているバイパスばね６０４を備えている。バイパスばね６０４は、各接触領域６０６を通しソケット６０２の外表面に通常付勢するような構成をしている。従って、プラグコネクタ６００内に減衰器プラグが収容されていないとき、或いは、減衰器がプラグコネクタ６００に一部しか収容されていないとき、接触領域６０６、６０６は、バイパスばね６０４が２つの通しソケット６０２の間に延びるバイパス路を形成するように２つの通しソケットに付勢されている。
【００４１】
また、図１０及び図１１を参照すると、バイパスばね６０４は、接触領域６０６から前方に突出している前突出部６２０、６２０を備えている。誘電カミング部材６２２、６２２はそれぞれ前突出部６２０、６２０に取り付けられている。該カミング部材６２２は、通しソケット６２０内で延びている部分を備えており、該部分は、通しソケット６０２の長さに沿った中間位置に位置する。誘電カミング突出部６２２、６２２は、減衰器プラグ３４−１がプラグコネクタ６００内に挿入されたときに減衰器３４−１の２つの通しピン３０８がカミング部材６２２、６２２と係合して該カミング部材６２２、６２２を半径方向外側に押すように、配置されている。カミング部材６２２、６２２が半径方向外方に押されたとき、接触ばね６０４の接触領域６０６、６０６は２つの通しソケット６０２の外表面から切り離され、バイパスばね６０４と２つの通しソケット６０２との電気的な接続を絶つ。この状態で、プラグコネクタ６００に供給された信号は、ソケット６０２、６０２内に差し込まれた減衰器を通る。
【００４２】
上述のように、カミング部材６２２、６２２は、減衰器プラグ３４−１がプラグコネクタ６００内に完全に挿入されたときに２つの通しソケット６０２から２つの接点６０６を切り離すように構成されていることが好ましい。しかし、カミング部材６２２は、通しソケット６０２の長さに沿った中間位置に配置されていることが好ましい。従って、減衰器プラグを取り除く際、２つの通しピン３０８の端部は２つのカミング部材６２２を通り過ぎ、それによって、バイパスばね６０４の２つの接触領域６０６、６０６が移動して２つの通しソケット６０２、６０２と接触する。好ましくは、カミング部材６２２、６２２は、２つの通しピン３０８が該カミング部材６２２、６２２を通過するときに、減衰器と２つの通しソケットとの電気的な接続が絶たれる前に、バイパスばね６０４が２つの通しソケット６０２の間で電気的な接続を提供するように、配置されている。従って、プラグの交換作業の際に、信号が損失したり或いは途絶えたりすることは上記の構成によって防がれる。
【００４３】
本書にて使用されている語句“同軸コネクタ”は、同軸ケーブルとともに使用されるコネクタ（例えば、Ｆ型或いはＢＮＣコネクタ等のコネクタ）であればその種類は問わない。また、図７Ａ乃至図７Ｃ、図８、図９Ａ、図９Ｂ、図１０及び図１１に示される各種プラグコネクタの形状は、信号の損失を防ぐためにあらゆる種類の電気通信設備とともに使用が可能であることは理解できよう。例えば、各種プラグコネクタの形状は、図３及び図４のコンバイナモジュール１１０或いは図５及び図６に示される等価器２１０に使用してもよい。更に、プラグコネクタは基板取り付け型が好ましいが、配線が施されたシステム／モジュール或いはフレキシブル回路等の他の種類の電気接続技術を使用しているシステム／モジュールに組み込まれていてもよい。更に、本発明の各種概念を受動システム及び能動システムに使用することもできる。
【００４４】
図１２Ａ及び図１２Ｂは、図５及び図６の等価モジュール２１０の一部を概略的に示している。詳しくは、モジュール２１０の同軸コネクタ２４２−１乃至２４２−３、方向性結合器７０及びプラグコネクタ２３６が示されている。図１２Ａ及び図１２Ｂは、また、等価器２３４を概略的に示している。該等価器２３４は２つの通しピン７０８及び２つの接地ピン７１０を備えている状態で示されている。
【００４５】
また、図１２Ａ及び図１２Ｂを参照すると、プラグコネクタ２３６は、等価器プラグ２３４を収容する大きさを有する誘電ハウジング７００を備えている。２つの通しばね７０２及び２つの接地ばね７０５は、ハウジング７００内に取り付けられている。２つの通しばね７０２の一方は同軸コネクタ２４２−３に電気的に接続されており、他方の通しばね７０２は方向性結合器７０に電気的に接続されている状態で示されている。好ましくは、通しばね７０２は、（図１２に示される）回路基板２３２に設けられているトレーシングによって、それぞれ対応する部品に電気的に接続されている。更に、接地ばね７０５は回路基板２３２を介して接地されていることが好ましい。
【００４６】
前述の実施例と同様に、電気的なバイパス路７０４は、ハウジング７００内において、２つの通しばね７０２の間に設けられていることが好ましい。２つの通しばね７０２は、バイパス路７０４の接触領域７０６、７０６に通常付勢されていることが好ましい。従って、プラグコネクタ２３６内にプラグが挿入されていないとき、バイパス路７０４は、２つの通しばね７０２との間に電気的な接続を提供し、それによって、信号がプラグコネクタ２３６を通ることができる。
【００４７】
図１２Ａはプラグコネクタ２３６を示しており、等価器２３４が該プラグコネクタ内に完全に挿入されている。このように等価器２３４が挿入された状態で、等価器の２つの通しピン７０８は、プラグコネクタ２３６の２つの通しばね７０２を押して、該通しばねとバイパス路７０４のそれぞれ対応する接触領域７０６、７０６との接触を断つ。従って、プラグコネクタ２３６内に完全に等価器２３４が挿入されている状態で、バイパス路７０４によって形成される回路が開放され、プラグコネクタ２３６に送られた信号は強制的に等価器２３４を通る。
【００４８】
図１２Ｂは、プラグコネクタ２３６内において中間位置にある等価器２３４を示す。中間位置において、２つの通しばね７０２は２つの通しピン７０８と接触している状態を保ち、接地ばね７０５は接地ピン７１０と接触している状態を保ち、２つの通しばね７０２は付勢されてバイパス路７０４の２つの接触領域７０６と接触している。プラグ２３４が図１２Ｂの位置にある状態で、プラグコネクタ２３４に向かった信号はバイパス路７０４によって画成された抵抗の低い路を通る。従って、通しばね７０２及びバイパス路７０４の上述の構成によって、信号は、等価器２３４とプラグコネクタとの接続が絶たれる前に、バイパス路７０４を通る。従って、等価器２３４がプラグコネクタ２３６から取り除かれるときに信号が途絶えることは、上記構成によって、防がれる。
【００４９】
以上の明細書における記載によって、本発明の使用及び製造の十分なる説明が行われた。本発明の趣旨及び範囲を逸脱しないような数多くの実施例が可能であることから、本発明は、別紙の特許請求の範囲によって定義される。
【図面の簡単な説明】
【００５０】
【図１】本発明の原理を実行するのに適しているＲＦコンバイナモジュールの分解斜視図
【図２】図１のコンバイナとの使用に適している無線周波数回路の概略図
【図３】本発明の原理を実行するのに適している他のＲＦコンバイナモジュールの分解斜視図
【図４】図３のコンバイナとの使用に適している無線周波数回路の概略図
【図５】本発明の原理を実行するのに適しているＲＦ等価器モジュールの分解斜視図
【図６】図５の等価器との使用に適している無線周波数回路の概略図
【図７Ａ】本発明の原理に係わるプラグコネクタを有するコンバイナの一部を概略的に示しており、プラグコネクタ内に減衰器プラグが完全に挿入されている状態を示す図
【図７Ｂ】プラグコネクタからプラグが一部取り除かれた状態の図７Ａのコンバイナの概略図
【図７Ｃ】図７Ａ及び図７Ｂのプラグコネクタの変形例を示す図
【図８】本発明の原理に従って構成されている第２のプラグコネクタを示す図
【図９Ａ】本発明の原理に従って構成されている第３のプラグコネクタを示しており、プラグがプラグコネクタ内に完全に挿入されている状態を示す図
【図９Ｂ】プラグがプラグコネクタから一部取り除かれた状態の図９Ａのプラグコネクタを示す図
【図１０】本発明の原理に従って構成されている第４のプラグコネクタの斜視図
【図１１】図１０のプラグコネクタの上面図
【図１２Ａ】本発明の原理に係わる第５のプラグコネクタを有している等価器の一部を概略的に示しており、プラグコネクタ内に等価器プラグが完全に挿入された状態を示す図
【図１２Ｂ】プラグコネクタからプラグが一部取り除かれた状態の図１２Ａの等価器の概略図
【図１】
2004523961.tif 000003
【図２】
2004523961.tif 000004
【図３】
2004523961.tif 000005
【図４】
2004523961.tif 000006
【図５】
2004523961.tif 000007
【図６】
2004523961.tif 000008
【図７Ａ】
2004523961.tif 000009
【図７Ｂ】
2004523961.tif 000010
【図７Ｃ】
2004523961.tif 000011
【図８】
2004523961.tif 000012
【図９Ａ】
2004523961.tif 000013
【図９Ｂ】
2004523961.tif 000014
【図１０】
2004523961.tif 000015
【図１１】
2004523961.tif 000016
【図１２Ａ】
2004523961.tif 000017
【図１２Ｂ】
2004523961.tif 000018
【国際公開パンフレット】
2004523961.tif 000019
2004523961.tif 000020
2004523961.tif 000021
2004523961.tif 000022
2004523961.tif 000023
2004523961.tif 000024
2004523961.tif 000025
2004523961.tif 000026
2004523961.tif 000027
2004523961.tif 000028
2004523961.tif 000029
2004523961.tif 000030
2004523961.tif 000031
2004523961.tif 000032
2004523961.tif 000033
2004523961.tif 000034
2004523961.tif 000035
2004523961.tif 000036
2004523961.tif 000037
2004523961.tif 000038
2004523961.tif 000039
2004523961.tif 000040
2004523961.tif 000041
2004523961.tif 000042
2004523961.tif 000043
2004523961.tif 000044
2004523961.tif 000045
2004523961.tif 000046
2004523961.tif 000047
2004523961.tif 000048
2004523961.tif 000049
2004523961.tif 000050
2004523961.tif 000051
2004523961.tif 000052
2004523961.tif 000053
2004523961.tif 000054
2004523961.tif 000055
2004523961.tif 000056
2004523961.tif 000057
2004523961.tif 000058
【国際公開パンフレット（コレクトバージョン）】
2004523961.tif 000059
2004523961.tif 000060
【国際調査報告】
2004523961.tif 000061
2004523961.tif 000062